【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
加熱により膨張する膨張層を含む媒体の前記膨張層が設けられた側である第１面に、電磁波熱変換材料を用いて、所定の第１パターン形成することと、その後、前記電磁波熱変換材料に向けて電磁波を照射して、前記膨張層の前記第１パターンに対応する部分を膨張させることとを含む第１工程と、
前記媒体の前記膨張層が設けられた側とは反対側である第２面に、電磁波熱変換材料を用いて、前記第１パターンよりも粗いパターンを含む第２パターンを形成することと、その後、前記電磁波熱変換材料に向けて電磁波を照射して、前記膨張層の前記第２パターンに対応する部分を膨張させることとを含む第２工程と、を有する、
ことを特徴とする構造物形成方法。
【請求項２】
前記第１工程における前記第１パターンを形成した後であって、かつ、前記第２工程における前記第２パターンに対応する部分を膨張させる前に、前記媒体の前記第１面の前記第２パターンに対応する領域に、電磁波熱変換材料を含む彩色材料を用いて、画像に対応する第３パターンを形成することを含む第３工程を、さらに有する、
ことを特徴とする請求項１に記載の構造物形成方法。
【請求項３】
前記第１工程は、
前記第１パターンを形成すると同時に、前記媒体の前記第１面の前記第２パターンに対応する領域に、電磁波熱変換材料を含まない彩色材料を用いて、画像に対応する第３パターンを形成することを含む、
ことを特徴とする請求項１に記載の構造物形成方法。
【請求項４】
前記第１工程は、前記媒体の前記第１面側から前記電磁波を照射して、前記膨張層を膨張させることを含み、かつ、前記第２工程は、前記媒体の前記第２面側から前記電磁波を照射して、前記膨張層を膨張させる、ことを含み、
前記第１工程の前記膨張層を膨張させることと、前記第２工程の前記膨張層を膨張させることとを、同時に行う、
ことを特徴とする請求項１乃至３のいずれか一項に記載の構造物形成方法。
【請求項５】
前記第１工程は、前記媒体の前記第１面側から前記電磁波を照射して、前記膨張層を膨張させることを含み、かつ、前記第２工程は、前記媒体の前記第２面側から前記電磁波を照射して、前記膨張層を膨張させる、ことを含み、
前記第２工程の前記膨張層を膨張させることを、前記第１工程の前記膨張層を膨張させることよりも前に行う、
ことを特徴とする請求項１乃至３のいずれか一項に記載の構造物形成方法。
【請求項６】
前記第１パターンは、点字、及び、ライン領域の少なくとも一方を示すパターンであり、
前記第１工程は、前記媒体の前記第１面側から前記電磁波を照射して、前記膨張層を膨張させることを含む、
ことを特徴とする請求項１乃至７のいずれか一項に記載の構造物形成方法。
【請求項７】
前記第１パターンは、前記第３パターンの輪郭を示すパターンであり、
前記第１工程は、前記媒体の前記第１面側から前記電磁波を照射して、前記膨張層を膨張させることを含む、
ことを特徴とする請求項２又は３に記載の構造物形成方法。
【請求項８】
前記第２工程は、前記媒体の前記第２面側から前記電磁波を照射して、前記膨張層を膨張させることを含む、
ことを特徴とする請求項１乃至３、及び、請求項６、７のいずれか一項に記載の構造物形成方法。
【請求項９】
加熱により膨張する膨張層を含む媒体の前記膨張層上に電磁波熱変換材料を形成する材料形成部と、
前記電磁波熱変換材料に向けて電磁波を照射して、前記電磁波熱変換材料が形成された前記膨張層を膨張させる照射部と、
前記媒体の前記膨張層が設けられた側である第１面に、電磁波熱変換材料を用いて、所定の第１パターンを、前記形成部によって形成させることと、その後、前記膨張層の前記第１パターンに対応する部分を、前記膨張部によって膨張させることとを含む第１工程と、前記媒体の前記膨張層が設けられた側とは反対側である第２面に、電磁波熱変換材料を用いて、前記第１パターンよりも粗いパターンを含む第２パターンを、前記形成部によって形成させことと、その後、前記膨張層の前記第２パターンに対応する部分を、前記膨張部によって膨張させることとを含む第２工程と、を実行させる制御部と、
を備える、
ことを特徴とする構造物形成装置。
【請求項１０】
加熱により膨張する膨張層を含む媒体の前記膨張層上に電磁波熱変換材料を形成する形成部と、前記電磁波熱変換材料に向けて電磁波を照射して、前記電磁波熱変換材料が形成された前記膨張層を膨張させる膨張部と、前記形成部及び前記膨張部を制御する制御部と、を備える構造物形成装置の制御部に、
前記媒体の前記膨張層が設けられた側である第１面に、電磁波熱変換材料を用いて、所定の第１パターンを、前記形成部によって形成させることと、その後、前記膨張層の前記第１パターンに対応する部分を、前記膨張部によって膨張させることとを含む第１工程と、前記媒体の前記膨張層が設けられた側とは反対側である第２面に、電磁波熱変換材料を用いて、前記第１パターンよりも粗いパターンを含む第２パターンを、前記形成部によって形成させることと、その後、前記膨張層の前記第２パターンに対応する
部分を、前記膨張部によって膨張させることとを含む第２工程と、を実行させる、
ことを特徴とする構造物形成プログラム。
【請求項１１】
加熱により膨張する膨張層を含む媒体であって、
前記媒体の前記膨張層が設けられた側である第１面に、所定の第１パターンに、電磁波熱変換材料が形成され、前記膨張層の前記第１パターンに対応する部分の厚みが前記膨張層の残りの部分の厚みよりも大きい、
ことを特徴とする構造物形成用加工媒体。
【請求項１２】
前記媒体の前記膨張層が設けられた側とは反対側である第２面に、前記第１パターンよりも粗いパターンを含む第２パターンに、電磁波熱変換材料が形成され、前記膨張層の前記第２パターンのみに対応する部分の厚みが前記第１パターンに対応する部分の厚みよりも小さい、
ことを特徴とする請求項１１に記載の構造物形成用加工媒体。
【手続補正２】
【補正対象書類名】明細書
【補正対象項目名】０００５
【補正方法】変更
【補正の内容】
【０００５】
そこで、本発明の目的は、所定の第１パターンに忠実に対応する第１の凹凸と、前記第１パターンよりも粗いパターンである第２パターンに対応する第２の凹凸とを、媒体の膨張層が設けられた側に形成することができる、構造物形成方法、構造物形成装置、及び、構造物形成用加工媒体を提供することである。
【手続補正３】
【補正対象書類名】明細書
【補正対象項目名】０００６
【補正方法】変更
【補正の内容】
【０００６】
本発明の構造物形成方法は、加熱により膨張する膨張層を含む媒体の前記膨張層が設けられた側である第１面に、電磁波熱変換材料を用いて、所定の第１パターンを形成することと、その後、前記電磁波熱変換材料に向けて電磁波を照射して、前記膨張層の前記第１パターンに対応する部分を膨張させることとを含む第１工程と、
前記媒体の前記膨張層が設けられた側とは反対側である第２面に、電磁波熱変換材料を用いて、前記第１パターンよりも粗いパターンを含む第２パターンを形成することと、その後、前記電磁波熱変換材料に向けて電磁波を照射して、前記膨張層の前記第２パターンに対応する部分を膨張させることとを含む第２工程と、を有する、ことを特徴とする。
【手続補正４】
【補正対象書類名】明細書
【補正対象項目名】０００７
【補正方法】変更
【補正の内容】
【０００７】
本発明の構造物形成装置は、加熱により膨張する膨張層を含む媒体の前記膨張層上に電磁波熱変換材料を形成する材料形成部と、
前記電磁波熱変換材料に向けて電磁波を照射して、前記電磁波熱変換材料が形成された前記膨張層を膨張させる照射部と、
前記媒体の前記膨張層が設けられた側である第１面に、電磁波熱変換材料を用いて、所定の第１パターンを、前記形成部によって形成させることと、その後、前記膨張層の前記第１パターンに対応する部分を、前記膨張部によって膨張させることとを含む第１工程と、前記媒体の前記膨張層が設けられた側とは反対側である第２面に、電磁波熱変換材料を用いて、前記第１パターンよりも粗いパターンを含む第２パターンを、前記形成部によって形成させことと、その後、前記膨張層の前記第２パターンに対応する部分を、前記膨張部によって膨張させることとを含む第２工程と、を実行させる制御部と、
を備える、ことを特徴とする。
【手続補正５】
【補正対象書類名】明細書
【補正対象項目名】０００８
【補正方法】変更
【補正の内容】
【０００８】
本発明の構造物形成プログラムは、加熱により膨張する膨張層を含む媒体の前記膨張層上に電磁波熱変換材料を形成する形成部と、前記電磁波熱変換材料に向けて電磁波を照射して、前記電磁波熱変換材料が形成された前記膨張層を膨張させる膨張部と、前記形成部及び前記膨張部を制御する制御部と、を備える構造物形成装置の制御部に、
前記媒体の前記膨張層が設けられた側である第１面に、電磁波熱変換材料を用いて、所定の第１パターンを、前記形成部によって形成させることと、その後、前記膨張層の前記第１パターンに対応する部分を、前記膨張部によって膨張させることとを含む第１工程と、前記媒体の前記膨張層が設けられた側とは反対側である第２面に、電磁波熱変換材料を用いて、前記第１パターンよりも粗いパターンを含む第２パターンを、前記形成部によって形成させることと、その後、前記膨張層の前記第２パターンに対応する部分を、前記膨張部によって膨張させることとを含む第２工程と、を実行させる、ことを特徴とする。
【手続補正６】
【補正対象書類名】明細書
【補正対象項目名】０００９
【補正方法】変更
【補正の内容】
【０００９】
本発明の構造物形成用加工媒体は、加熱により膨張する膨張層を含む媒体であって、
前記媒体の前記膨張層が設けられた側である第１面に、所定の第１パターンに、電磁波熱変換材料が形成され、前記膨張層の前記第１パターンに対応する部分の厚みが前記膨張層の残りの部分の厚みよりも大きい、ことを特徴とする。
【手続補正７】
【補正対象書類名】明細書
【補正対象項目名】００１０
【補正方法】変更
【補正の内容】
【００１０】
本発明によれば、所定の第１パターンに忠実に対応する第１の凹凸と、前記第１パターンよりも粗いパターンである第２パターンに対応する第２の凹凸とを、媒体の膨張層が設けられた側に形成することができる、構造物形成方法、構造物形成装置、構造物形成プログラム、及び、構造物形成用加工媒体を提供することができる。